Podtech/llm-jp-corpus-v4-ja_patent huggingface dataset:
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
半導体集積回路のアーキテクチャ構成図の作成を支援する設計支援装置が実行する設計支援方法であって、
既存の半導体集積回路に含まれる機能マクロの情報と、機能マクロ間の接続情報を含むアーキテクチャ情報とが管理されたデータベースから、作成する半導体集積回路に搭載する機能マクロを検索し、
前記検索により得られた前記機能マクロに対応するアーキテクチャ情報を前記データベースから抽出し、
前記作成する半導体集積回路のアーキテクチャ情報と、抽出した前記アーキテクチャ情報とを比較し、前記作成する半導体集積回路のために、抽出した前記アーキテクチャ情報に類似するアーキテクチャ情報を抽出する、設計支援方法。
【請求項２】
前記データベースから、前記作成する半導体集積回路に搭載する機能マクロの仕様に基づいて前記機能マクロを検索し、
前記機能マクロの前記仕様から前記機能マクロと接続された接続マクロ又は接続端子の情報を前記データベースから抽出する、
請求項１に記載の設計支援方法。
【請求項３】
前記作成する半導体集積回路の仕様と前記機能マクロ及び前記接続マクロの仕様との類似性を判定し、
前記類似性に応じた前記機能マクロ及び前記接続マクロを抽出する、
請求項２に記載の設計支援方法。
【請求項４】
前記仕様の類似性の判定において、前記作成する半導体集積回路の複数の仕様のそれぞれに対し、前記機能マクロ及び前記接続マクロが対応するか否かを示すマトリックステーブルを作成する、
請求項３に記載の設計支援方法。
【請求項５】
半導体集積回路のアーキテクチャ構成図の作成を支援する設計支援装置であって、
既存の半導体集積回路に含まれる機能マクロの情報と、機能マクロ間の接続情報を含むアーキテクチャ情報とを管理するデータベースを格納する記憶装置と、
処理装置と、を備え、
前記処理装置は、
前記検索により得られた前記機能マクロに対応するアーキテクチャ情報を前記データベースから抽出し、
前記作成する半導体集積回路のアーキテクチャ情報と、抽出した前記アーキテクチャ情報とを比較し、前記作成する半導体集積回路のために、抽出した前記アーキテクチャ情報に類似するアーキテクチャ情報を抽出する、設計支援装置。
【請求項６】
前記処理装置は、
前記データベースから、前記作成する半導体集積回路に搭載する機能マクロの仕様に基づいて前記機能マクロを検索し、
前記機能マクロの前記仕様から前記機能マクロと接続された接続マクロ又は接続端子の情報を前記データベースから抽出する、
請求項５に記載の設計支援装置。
【請求項７】
前記作成する半導体集積回路の仕様と前記機能マクロ及び前記接続マクロの仕様との類似性を判定し、
前記類似性に応じた前記機能マクロ及び前記接続マクロを抽出する、
請求項６に記載の設計支援装置。
【請求項８】
前記作成する半導体集積回路の複数の仕様のそれぞれに対し、前記機能マクロ及び前記接続マクロが対応するか否かを示すマトリックステーブルを作成する、
請求項７に記載の設計支援装置。
【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
基板面を有する炭化珪素基板を準備する工程と、
前記基板面の一部を覆うように絶縁膜を形成する工程と、
前記絶縁膜に接触するように前記基板面上にコンタクト電極を形成する工程とを備え、
前記コンタクト電極はＡｌ、ＴｉおよびＳｉ原子を含有し、前記コンタクト電極を形成する工程は、Ｓｉ原子およびＴｉ原子の一方と、Ａｌ原子とを含有する合金から作られた合金膜を形成する工程と、前記合金膜上にＳｉ原子およびＴｉ原子の他方の膜を形成する工程とを含み、さらに
前記炭化珪素基板と前記コンタクト電極とがオーミックに接続されるように前記コンタクト電極をアニールする工程とを備える、炭化珪素半導体装置の製造方法。
【請求項２】
前記合金膜は、前記合金から作られたターゲットを用いたスパッタ法によって形成される、請求項１に記載の炭化珪素半導体装置の製造方法。
【請求項３】
前記合金膜はＳｉ原子を含有する、請求項１または請求項２に記載の炭化珪素半導体装置の製造方法。
【請求項４】
前記合金膜はＴｉ原子を含有する、請求項３に記載の炭化珪素半導体装置の製造方法。
【請求項５】
前記絶縁膜は酸化珪素膜および窒化珪素膜の少なくともいずれかを含む、請求項１から請求項４のいずれか１項に記載の炭化珪素半導体装置の製造方法。
【請求項６】
前記絶縁膜上にゲート電極を形成する工程をさらに備える、請求項１から請求項５のいずれか１項に記載の炭化珪素半導体装置の製造方法。
【請求項７】
前記絶縁膜は層間絶縁膜である、請求項１から請求項５のいずれか１項に記載の炭化珪素半導体装置の製造方法。
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
第１の基板を保持する第１ステージと、
前記第１ステージに対向して配されるとともに前記第１ステージに対して相対移動可能であって、第２の基板を保持する第２ステージと、
前記第１ステージに保持された前記第１の基板と前記第２ステージに保持された前記第２の基板とを互いに位置合わせするときに、互いに離間した前記第１の基板および前記第２の基板の少なくとも一方のアライメントマークを観測するとともに、前記第１の基板および前記第２の基板が互いに重ね合された状態で前記アライメントマークを観測する観測部と
を備える基板重ね合わせ装置。
【請求項２】
前記観測部は、
前記第１の基板および前記第２の基板を位置合わせする場合に、前記アライメントマークを焦点深度内に含む位置合わせ顕微鏡と、
前記位置合わせ顕微鏡とは別個に設けられ、前記第１の基板および前記第２の基板が互いに重ね合された状態で前記アライメントマークを焦点深度内に含む評価顕微鏡と
を有する請求項１に記載の基板重ね合わせ装置。
【請求項３】
前記第２ステージは、前記第１の基板と前記第２の基板との重ね合わせ面に平行な第１の方向および前記第１の方向に直交する第２の方向に移動自在であり、
前記評価顕微鏡は、前記第１の方向に沿って複数個配されている請求項２に記載の基板重ね合わせ装置。
【請求項４】
前記評価顕微鏡の分解能は、前記位置合わせ顕微鏡の分解能より高い請求項２または３に記載の基板重ね合わせ装置。
【請求項５】
重ね合わされた前記第１の基板および前記第２の基板が前記第２ステージに保持されており前記第１ステージから離間した状態で前記アライメントマークを前記観測部により観測する場合に、前記第１ステージが前記第１の基板および前記第２の基板の面方向に退避する請求項１から４のいずれか１項に記載の基板重ね合わせ装置。
【請求項６】
前記観測部は、前記第１ステージに保持された前記第１の基板と前記第２ステージに保持された前記第２の基板とが互いに離間した状態における前記アライメントマークを焦点深度内に含み、かつ、前記第１の基板および前記第２の基板とが重ね合わされた状態における前記アライメントマークを焦点深度内に含むべく焦点深度位置が可変な評価顕微鏡を有する請求項１に記載の基板重ね合わせ装置。
【請求項７】
前記第１の基板は前記第１ステージに対して着脱可能な第１基板ホルダを介して前記第１ステージに保持されており、
前記第１基板ホルダは、前記第１ステージ側から前記第１の基板と前記第２の基板との重ね合わせ面を観察する観察穴を有する請求項１から６のいずれか１項に記載の基板重ね合わせ装置。
【請求項８】
第１の基板を保持する第１ステージと、
前記第１ステージに対向して配されるとともに前記第１ステージに対して相対移動可能であって、第２の基板を保持する第２ステージと、
前記第１ステージに保持された前記第１の基板と前記第２ステージに保持された前記第２の基板とを重ね合わせる前に前記第１の基板および前記第２の基板の相対位置を計測するとともに、前記第１の基板および前記第２の基板が互いに重ね合わされた状態で前記相対位置を計測する計測部と
を備える基板重ね合わせ装置。
【請求項９】
第１の基板を第１ステージに保持する第１保持ステップと、
第２の基板を、前記第１ステージに対向して配されるとともに前記第１ステージに対して相対移動可能な第２ステージに保持する第２保持ステップと、
前記第１ステージに保持された前記第１の基板と前記第２ステージに保持された前記第２の基板とを重ね合わせる前に前記第１の基板および前記第２の基板の相対位置を計測する第１計測ステップと、
前記第１の基板および前記第２の基板が互いに重ね合わされた状態で前記相対位置を計測する第２計測ステップと
を含む基板重ね合わせ方法。
【請求項１０】
第１の基板を保持する第１ステージと、
前記第１ステージに対向して配されるとともに前記第１ステージに対して相対移動可能であって、第２の基板を保持する第２ステージと、
前記第１ステージに保持された前記第１の基板と前記第２ステージに保持された前記第２の基板とを互いに位置合わせして重ね合わせた状態で前記第１の基板および前記第２の基板の相対位置を計測するとともに、重ね合わされた前記第１の基板および前記第２の基板が互いに接合された状態で前記相対位置を計測する計測部と
を備える基板重ね合わせ装置。
【請求項１１】
第１の基板を第１ステージに保持する第１保持ステップと、
第２の基板を、前記第１ステージに対向して配されるとともに前記第１ステージに対して相対移動可能な第２ステージに保持する第２保持ステップと、
前記第１ステージに保持された前記第１の基板と前記第２ステージに保持された前記第２の基板とを互いに位置合わせして重ね合わせた状態で前記第１の基板および前記第２の基板の相対位置を計測する第１計測ステップと、
重ね合わされた前記第１の基板および前記第２の基板が互いに接合された状態で前記相対位置を計測する第２計測ステップと
を含む基板重ね合わせ方法。
【請求項１２】
第１の基板を保持する第１ステージと、
前記第１ステージに対向して配されるとともに前記第１ステージに対して相対移動可能であって、第２の基板を保持する第２ステージと、
前記第１ステージに保持された前記第１の基板と前記第２ステージに保持された前記第２の基板とを重ね合わせる前に前記第１の基板および前記第２の基板の相対位置を計測するとともに、重ね合わされた前記第１の基板および前記第２の基板が互いに接合された状態で前記相対位置を計測する計測部と
を備える基板重ね合わせ装置。
【請求項１３】
第１の基板を第１ステージに保持する第１保持ステップと、
第２の基板を、前記第１ステージに対向して配されるとともに前記第１ステージに対して相対移動可能な第２ステージに保持する第２保持ステップと、
前記第１ステージに保持された前記第１の基板と前記第２ステージに保持された前記第２の基板とを重ね合わせる前に前記第１の基板および前記第２の基板の相対位置を計測する第１計測ステップと、
重ね合わされた前記第１の基板および前記第２の基板が互いに接合された状態で前記相対位置を計測する第２計測ステップと
を含む基板重ね合わせ方法。
【手続補正２】
【補正対象書類名】明細書
【補正対象項目名】発明の名称
【補正方法】変更
【補正の内容】
【発明の名称】基板重ね合わせ装置および基板重ね合わせ方法
【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
遊技媒体が入賞可能な第１入賞口と遊技媒体が入賞可能な第２入賞口とが設けられ、前記第１入賞口または前記第２入賞口に遊技媒体が入賞したことにもとづいて景品として景品遊技媒体を払い出す遊技機であって、
前記第１入賞口に入賞した遊技媒体が通過する第１通路と、
前記第２入賞口に入賞した遊技媒体が通過する第２通路と、を備え、
少なくとも前記第１通路には、
遊技媒体を検出し、第１の検出信号を出力する第１検出手段と、
遊技媒体を検出し、第２の検出信号を出力する第２検出手段と、が設けられ、
前記第１検出手段から出力された前記第１の検出信号と前記第２検出手段から出力された前記第２の検出信号とにもとづいて少なくとも前記第１入賞口への入賞異常を判定する異常判定手段と、
前記異常判定手段により入賞異常と判定されたことにもとづいて所定のエラー状態に移行させる移行手段と、
前記入賞異常を示す入賞異常信号を外部に出力する入賞異常信号出力手段と、
を備える
ことを特徴とする遊技機。
【手続補正２】
【補正対象書類名】明細書
【補正対象項目名】０００９
【補正方法】変更
【補正の内容】
【０００９】
前記課題を解決するために、本発明の請求項１に記載の遊技機は、
遊技媒体（遊技球）が入賞可能な第１入賞口（第１始動入賞口１３ａ）と遊技媒体が入賞可能な第２入賞口（第２始動入賞口１３ｂ）とが設けられ、前記第１入賞口または前記第２入賞口に遊技媒体が入賞したことにもとづいて景品として景品遊技媒体（賞球）を払い出す遊技機（パチンコ遊技機１）であって、
前記第１入賞口に入賞した遊技媒体が通過する第１通路（第１入賞通路１３６０ａ，１３６０ｂ）と、
前記第２入賞口に入賞した遊技媒体が通過する第２通路（第２入賞通路１３７０ａ，１３７０ｂ）と、を備え、
少なくとも前記第１通路にはそれぞれ、
遊技媒体を検出し、第１の検出信号を出力する第１検出手段（第１始動口スイッチ１４ａ、第２始動口スイッチ１５ａ）と、
遊技媒体を検出し、第２の検出信号を出力する第２検出手段（第１入賞確認スイッチ１４ｂ、第２入賞確認スイッチ１５ｂ）と、が設けられ、
前記第１検出手段から出力された前記第１の検出信号と前記第２検出手段から出力された前記第２の検出信号とにもとづいて少なくとも前記第１入賞口への入賞異常を判定する異常判定手段（遊技制御用マイクロコンピュータ５６０において、スイッチ処理におけるステップＳ１１３を実行する部分）と、
前記異常判定手段により入賞異常と判定されたことにもとづいて所定のエラー状態に移行させる移行手段（遊技制御用マイクロコンピュータ５６０において、スイッチ処理におけるステップＳ１３５を実行する部分）と、
前記入賞異常を示す入賞異常信号を外部に出力する入賞異常信号出力手段と、
を備える
ことを特徴としている。
この特徴によれば、遊技媒体を検出する検出手段に対する不正行為を検知して、不正行為対策を講ずることができる。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
遊技者が視認可能な位置で動作する演出装置と表示装置と該表示装置を装飾する装飾部材とを備えた遊技機であって、
前記演出装置は、前記装飾部材に設けられ、
発光体と、
透光性を有する覆い体と、
駆動源と、
該駆動源の駆動力により動く可動体と、を含み、
前記覆い体は、前記可動体により押されることによって、前記発光体を覆う第１状態から前記発光体からの直接光を露出させる第２状態に変化し、
前記露出した直接光が前記覆い体を押している前記可動体に照射されることを特徴とする、遊技機。
【手続補正２】
【補正対象書類名】明細書
【補正対象項目名】００１０
【補正方法】変更
【補正の内容】
【００１０】
（１）  遊技者が視認可能な位置で動作する演出装置と表示装置と該表示装置を装飾する装飾部材とを備えた遊技機（たとえば、パチンコ機２）であって、
前記演出装置は、前記装飾部材に設けられ、
発光体（たとえば、ＬＥＤ２０ａ、２０ｂ）と、
透光性を有する覆い体（たとえば、蓋部材１１２）と、
駆動源（たとえば、移動モータ１２、落下モータ１６）と、
該駆動源の駆動力により動く可動体（たとえば、第１演出用可動体６２ａと第２演出用可動体６３）と、を含み、
前記覆い体は、前記可動体により押されることによって、前記発光体を覆う第１状態（たとえば、図１１（ｂ）、図１４（ａ）に示す閉塞状態）から前記発光体からの直接光を露出させる第２状態（たとえば、図１２（ｂ）、図１４（ｂ）に示す開放状態）に変化し（たとえば、図１４（ｂ）に示すように、第１演出用可動体６２ａで押されることによって開放し）、
前記露出した直接光が前記覆い体を押している前記可動体に照射される（たとえば、図１４（ｂ））ことを特徴とする。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
遊技者が視認可能な位置で動作する演出装置と表示装置と該表示装置を装飾する装飾部材とを備えた遊技機であって、
前記演出装置は、前記装飾部材に設けられ、
該演出装置の基体と、
所定箇所を回動中心として回動することにより前記基体における第１位置から第２位置までの領域である回動移動領域を移動可能であるとともに、前記基体における前記第２位置から第３位置までの領域である出退移動領域を移動可能な可動物と、
該可動物を前記第２位置から前記第３位置に移動させるための駆動手段と、を含み、
前記駆動手段は、
駆動源と、
該駆動源の駆動力により所定の揺動軸を中心として揺動する揺動アーム部材と、
該揺動アーム部材の揺動によって前記可動物が前記第２位置から前記第３位置に移動するように、前記揺動アーム部材と前記可動物とを連動連結する連動連結部と、を含み、
前記演出装置は、さらに、
前記可動物が前記第２位置から前記第３位置に移動する間における該可動物の回動を規制する規制手段を含むことを特徴とする、遊技機。
【手続補正２】
【補正対象書類名】明細書
【補正対象項目名】０００７
【補正方法】変更
【補正の内容】
【０００７】
（１）  遊技者が視認可能な位置で動作する演出装置と表示装置と該表示装置を装飾する装飾部材とを備えた遊技機（たとえば、パチンコ機２）であって、
前記演出装置は、前記装飾部材に設けられ、
該演出装置の基体（たとえば、基体４８）と、
所定箇所を回動中心（たとえば、嵌合孔５３により形成される回動中心）として回動することにより前記基体における第１位置から第２位置まで（たとえば、図５（ｂ）の原点位置から図６（ｂ）の垂直位置まで）の領域である回動移動領域を移動可能であるとともに、前記基体における前記第２位置から第３位置まで（たとえば、図６（ｂ）の垂直位置から図７（ｂ）の進出位置まで）の領域である出退移動領域を移動可能な可動物（たとえば、第１演出用可動体６２、６２ａ）と、
該可動物を前記第２位置から前記第３位置に移動させるための駆動手段（たとえば、移動モータ１２、落下モータ１６、揺動アーム７８、第２長孔９９、嵌合摺動体６８ｃ）と、を含み、
前記駆動手段は、
駆動源（たとえば、移動モータ１２と落下モータ１６）と、
該駆動源の駆動力により所定の揺動軸を中心として揺動する揺動アーム部材（たとえば、揺動アーム７８）と、
該揺動アーム部材の揺動によって前記可動物が前記第２位置から前記第３位置に移動するように、前記揺動アーム部材と前記可動物とを連動連結する連動連結部（第２長孔９９と嵌合摺動体６８ｃ）と、を含み、
前記演出装置は、さらに、
前記可動物が前記第２位置から前記第３位置に移動する間における該可動物の回動を規制する規制手段（たとえば、摺動凸部６４ｃが垂直溝部６７を摺動しているときに、摺動凸部６４ｃの嵌合孔５３を回動中心とした回動を阻止して第１演出用可動体６２、６２ａの回動を規制する、垂直溝部６７と摺動凸部６４ｃ、および、嵌合摺動溝１０４が形成された上下摺動体１０６とそれを垂直方向にガイドする嵌合摺動突条１０５）を含むことを特徴とする。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
遊技者が視認可能な位置で動作する演出装置と表示装置と該表示装置を装飾する装飾部材とを備えた遊技機であって、
前記演出装置は、前記装飾部材に設けられ、
該演出装置の基体と、
該基体における第１位置から第２位置までの領域である特定移動領域を移動可能な第１可動部材と、
該第１可動部材とともに前記基体における退避位置から進出位置までの領域である進退移動領域を移動可能な第２可動部材と、
前記第１可動部材が前記第１位置にあるときには前記第１可動部材および前記第２可動部材の前記進出位置への移動を規制する一方、前記第１可動部材が前記第２位置にあるときには前記第１可動部材および前記第２可動部材の前記進出位置への移動を可能にする規制機構と、
を備えたことを特徴とする遊技機。
【手続補正２】
【補正対象書類名】明細書
【補正対象項目名】０００６
【補正方法】変更
【補正の内容】
【０００６】
（１）  遊技者が視認可能な位置で動作する演出装置と表示装置と該表示装置を装飾する装飾部材とを備えた遊技機（たとえば、パチンコ機２）であって、
前記演出装置は、前記装飾部材に設けられ、
該演出装置の基体（たとえば、基体４８）と、
該基体における第１位置から第２位置まで（たとえば、図５（ｂ）の原点位置から図６（ｂ）の垂直位置）の領域である特定移動領域を移動可能な第１可動部材（たとえば、第１演出用可動体６２、６２ａ）と、
該第１可動部材とともに前記基体における退避位置から進出位置まで（たとえば、図６の退避位置から図７の進出位置）の領域である進退移動領域を移動可能な第２可動部材（たとえば、第２演出用可動体６３）と、
前記第１可動部材が前記第１位置にあるときには前記第１可動部材および前記第２可動部材の前記進出位置への移動を規制する一方、前記第１可動部材が前記第２位置にあるときには前記第１可動部材および前記第２可動部材の前記進出位置への移動を可能にする規制機構（たとえば、摺動凸部６４ｃが図５（ａ）の位置にあるときに摺動凸部６４ｃの回動を許容し垂直方向の移動を規制する一方、摺動凸部６４ｃが図６（ａ）の位置にあるときに摺動凸部６４ｃの回動を規制し垂直方向の移動を許容する、円弧状溝部６６と垂直溝部６７と摺動凸部６４ｃ）と、
を備えたことを特徴とする。
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
遊技域に始動口を備え、該始動口に入球すると乱数値を発生させ、該乱数値により当否を判定し、当たりと判定した場合には、遊技者に有利な大当り遊技状態を発生させる遊技機であって、当該遊技機にて使用される遊技球の貸出料となる代金が記録されたカードを挿入可能なカードユニットが併設された遊技機において、
前記大当たり状態は、前記遊技域に形成された大入賞口を入球可能な状態にすることにより、前記大当たり状態ではない状態よりも、遊技者が賞球を容易に得られる状態であり、
前記カードユニットから前記カードを排出する際に操作するための排出指示手段と、
前記カードユニットに前記カードが挿入されているか否かを判定するカード有無判定手段と、
当該遊技機が前記大当たり遊技状態にある場合に、前記カード有無判定手段が、前記カードユニットに前記カードが挿入されていると判定すると、前記排出指示手段を操作する旨を遊技者に促す報知動作を行なう排出報知手段と
該排出報知手段が前記報知動作を行なう際には、前記賞球の遊技者への払出を中断させる賞球停止手段と、
１回の前記大当たり状態において、前記排出報知手段による最後の前記報知動作が行なわれてから予め定められた期間が経過すると、前記カードの排出を行なうカード排出手段と、
前記カードユニットに挿入された前記カードに記録された前記代金に基づき、遊技球の貸し出しを受けるために遊技者が操作する球貸指示手段と、
１回の前記大当たり状態において、前記排出報知手段による最後の前記報知動作が行なわれると、前記球貸指示手段による操作を無効とする球貸禁止手段と
を備え、前記中断した分の賞球を未払い分として記憶することを特徴とする遊技機。
【請求項２】
前記排出報知手段は、１回の前記大当たり状態において複数回、前記報知動作を行なうものであることを特徴とする請求項１に記載の遊技機。
【手続補正２】
【補正対象書類名】明細書
【補正対象項目名】０００８
【補正方法】変更
【補正の内容】
【０００８】
そして請求項１に記載の本発明は、１回の前記大当たり状態において、前記排出報知手段による最後の前記報知動作が行なわれてから予め定められた期間が経過すると、前記カードの排出を行なうカード排出手段を備えたことを特徴とする。
ここで「最後の前記報知動作」とは、１回の大当たり状態において報知動作が１回しか行なわれない構成においては、その１回の報知動作を指すものとする。
【手続補正３】
【補正対象書類名】明細書
【補正対象項目名】０００９
【補正方法】変更
【補正の内容】
【０００９】
更に請求項１に記載の本発明は、前記カードユニットに挿入された前記カードに記録された前記代金に基づき、遊技球の貸し出しを受けるために遊技者が操作する球貸指示手段を備え、１回の前記大当たり状態において、前記排出報知手段による最後の前記報知動作が行なわれると、前記球貸指示手段による操作を無効とする球貸禁止手段を備えたことを特徴とする。
【手続補正４】
【補正対象書類名】明細書
【補正対象項目名】００１２
【補正方法】変更
【補正の内容】
【００１２】
また、請求項１に記載の遊技機によれば、カード排出手段が、排出報知手段による最後の報知動作が行なわれてから予め定められた期間が経過すると、カードの排出を行なうため、カードがカードユニットに挿入されたままにされるという事態を確実に防止できる。
更に請求項１に記載の遊技機においては、遊技者が球貸指示手段を操作することにより、カードに記録された代金に基づいて、遊技球の貸し出しが行なわれる。そして最後の報知動作（報知動作が１回しか行なわれない場合は、その報知動作）が行なわれると、球貸禁止手段が球貸指示手段による操作を無効とする。この結果、最後の報知動作から所定時間が経過して、カード排出手段によりカードがいわば強制的にカードユニットから排出される場合の状況を一定とすることができる。例えば、遊技者の指示に基づいて球貸しを行なっているがためにカードを排出できないといった事態が発生しない。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
餌料生物増殖基質材が籠状体に収容されて成り、それぞれに吊下げ部が設けられている２以上の基質材ユニットと、前記２以上の基質材ユニットが互いに間隔を隔てて着脱自在にインサートプラグ又はアンカープラグを介して取付けられている基台とを備え、海底、湖底、又は川底に１又は２以上沈設される餌料生物増殖礁の取替え方法において、
沈設されている前記餌料生物増殖礁を船で引き上げる引上げ段階と、
船上に引き上げた前記餌料生物増殖礁に装着されている前記基質材ユニットを、前記基台に取り付けられている前記インサートプラグ又はアンカープラグによる取付けを解除して、別の前記基質材ユニットに取り替える取替え段階と、
別の前記基質材ユニットに取り替えられた前記餌料生物増殖礁を海底、湖底、又は川底に沈設する沈設段階とを備えることを特徴とする餌料生物増殖礁の取替え方法。
【請求項２】
前記餌料生物増殖基質材は、間伐材を含む木材であることを特徴とする請求項１記載の餌料生物増殖礁の取替え方法。
【請求項３】
前記間伐材を含む木材の太さが、１０〜２５ｃｍであることを特徴とする請求項２記載の餌料生物増殖礁の取替え方法。
【請求項４】
前記引上げ段階では、取り替えられる別の前記基質材ユニットが船に積み込まれていることを特徴とする請求項２又は３に記載の餌料生物増殖礁の取替え方法。
【請求項５】
餌料生物増殖基質材が籠状体に収容されて成り、それぞれに第１吊下げ部が設けられている２以上の基質材ユニットと、前記２以上の基質材ユニットが互いに間隔を隔てて着脱自在にインサートプラグ又はアンカープラグを介して取付けられている基台とを備え、海底、湖底、又は川底に沈設される餌料生物増殖礁において、
前記基台には、海底、湖底、又は川底に沈設されている前記餌料生物増殖礁を引き上げるための第２吊下げ部が設けられ、
前記餌料生物増殖礁に装着されている前記基質材ユニットが、前記インサートプラグ又はアンカープラグによる前記基台への取り付けを解除して、別の前記基質材ユニットに取り替え可能な構成となっていることを特徴とする餌料生物増殖礁。
【請求項６】
前記餌料生物増殖基質材は、間伐材を含む木材であることを特徴とする請求項５記載の餌料生物増殖礁。
【請求項７】
前記間伐材を含む木材の太さが、１０〜２５ｃｍであることを特徴とする請求項６記載の餌料生物増殖礁。
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
一方側直流端子と他方側直流端子の間に、複数の単位変換器と一方側巻線が直列する直列回路を３つ並列接続する構成を有し、前記前記単位変換器は、コンデンサと、前記コンデンサの電圧を出力又は前記コンデンサに電力を入力するスイッチング素子を有しており、前記３つの直列回路の各々の一方側巻線は、他方側巻線を介して交流電源或いは交流負荷に接続されることを特徴とする電力変換装置。
【請求項２】
請求項１において、前記一方側巻線と前記他方側巻線は変圧器を構成し、前記変圧器の一方側巻線は中性点を引き出して接続した構造となっていることを特徴とする電力変換装置。
【請求項３】
請求項１において、前記一方側巻線を引き出して中性点を有するように三相変圧器を構成し、前記一方側巻線にスター結線した回路を構成することを特徴とする電力変換装置。
【請求項４】
請求項１において、前記一方側巻線を挟むように前記単位変換器が配置されていることを特徴とする電力変換装置。
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）において実行される方法であって、
サブバンドのＮグループのそれぞれについてのチャネル品質情報を決定することであって、前記サブバンドのＮグループは、ダウンリンク帯域幅を分割し、Ｎは１より大きい整数である、ことと、
前記サブバンドのＮグループのそれぞれについての前記チャネル品質情報を異なる報告送信時間間隔（ＴＴＩ）の中で送信することと
を備え、
それぞれの報告ＴＴＩの中で送信される前記チャネル品質情報は、前記サブバンドのＮグループのそれぞれの一つの第１の送信レイヤーに対応する第１のチャネル品質指標（ＣＱＩ）および前記サブバンドのＮグループの前記それぞれの一つの第２の送信レイヤーに対応する第２のＣＱＩを備える、方法。
【請求項２】
それぞれの報告ＴＴＩ、およびチャネル品質情報がその報告ＴＴＩの中で報告される前記サブバンドグループは、前記ＷＴＲＵによる受信より前に知られている、請求項１の方法。
【請求項３】
前記報告ＴＴＩのそれぞれにおける前記送信は、前記ダウンリンク帯域幅内の前記サブバンドのグループの位置の指標を含まない、請求項１の方法。
【請求項４】
ワイヤレス送受信ユニット（ＷＴＲＵ）であって、
サブバンドのＮグループのそれぞれについてのチャネル品質情報を決定するように構成されているプロセッサであって、前記サブバンドのＮグループは、ダウンリンク帯域幅を分割し、およびＮは１より大きい整数である、プロセッサを備え、
前記プロセッサは、前記サブバンドのＮグループのそれぞれについての前記チャネル品質情報を異なる報告送信時間間隔（ＴＴＩ）の中で送信するように構成されており、
それぞれの報告ＴＴＩの中で送信される前記チャネル品質情報は、前記サブバンドのＮグループのそれぞれの一つの第１の送信レイヤーに対応する第１のチャネル品質指標（ＣＱＩ）および前記サブバンドのＮグループの前記それぞれの一つの第２の送信レイヤーに対応する第２のＣＱＩを備える、ＷＴＲＵ。
【請求項５】
前記報告ＴＴＩ、およびチャネル品質情報がその報告ＴＴＩの中で報告される前記サブバンドグループは、前記ＷＴＲＵによる送信より前に知られている、請求項４のＷＴＲＵ。
【請求項６】
前記報告ＴＴＩのそれぞれにおける前記送信は、前記ダウンリンク帯域幅内の前記グループの位置の指標を含まない、請求項４のＷＴＲＵ。
【請求項７】
ワイヤレスネットワークノードにおいて実行される方法であって、
Ｎの報告送信時間間隔（ＴＴＩ）のそれぞれでワイヤレス送受信ユニット（ＷＴＲＵ）からサブバンドのＮグループの異なる一つに対応するチャネル品質情報を受信することであって、Ｎは１より大きい整数である、ことを備え、
それぞれの報告ＴＴＩにおける前記チャネル品質情報は、前記サブバンドのＮグループのそれぞれの一つの第１の送信レイヤーに対応する第１のチャネル品質指標（ＣＱＩ）および前記サブバンドのＮグループの前記それぞれの一つの第２の送信レイヤーに対応する第２のＣＱＩを備え、
前記サブバンドのＮグループは、ダウンリンク帯域幅を分割する、
方法。
【請求項８】
それぞれの報告ＴＴＩおよびその報告ＴＴＩの中で報告される前記サブバンドグループは、前記ワイヤレスネットワークノードによる受信より前に知られている、請求項７の方法。
【請求項９】
前記Ｎの報告ＴＴＩは、前記ダウンリンク帯域幅内の前記グループの位置の指標を含まない、請求項７の方法。
【請求項１０】
ワイヤレスネットワークノードであって、
Ｎの送信時間間隔（ＴＴＩ）のそれぞれでワイヤレス送受信ユニット（ＷＴＲＵ）からサブバンドのＮグループの異なる一つに対応するチャネル品質情報を受信するように構成されているプロセッサおよびレシーバーであって、Ｎは１より大きい整数である、プロセッサおよびレシーバーを備え、
それぞれのＴＴＩにおける前記チャネル品質情報は、前記サブバンドのＮグループのそれぞれの一つの第１の送信レイヤーに対応する第１のチャネル品質指標（ＣＱＩ）および前記サブバンドのＮグループの前記それぞれの一つの第２の送信レイヤーに対応する第２のＣＱＩを備え、
前記サブバンドのＮグループは、ダウンリンク帯域幅を分割する、
ワイヤレスネットワークノード。
【請求項１１】
それぞれの報告送信時間間隔およびその報告送信時間間隔の中で報告される周波数リソースブロックグループは、前記ワイヤレスネットワークノードによる受信より前に知られている、請求項１０のワイヤレスネットワークノード。
【請求項１２】
前記Ｎの報告ＴＴＩにおいて受信される情報は、前記ダウンリンク帯域幅内の前記グループの位置の指標を含まない、請求項１０のワイヤレスネットワークノード。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
ソースサービング無線ネットワークサブシステム（ＳＲＮＳ）からターゲットＳＲＮＳにユーザ機器を再配置するための通知を受信することと、
前記ソースＳＲＮＳからの再構成メッセージにおいて前記ユーザ機器によって受信された単一ビットのインジケータに基づいて、前記ターゲットＳＲＮＳに対応するターゲット無線ネットワークコントローラ（ＲＮＣ）が高速ドーマント機能をサポートすると判断することと、
前記ソースＳＲＮＳから前記ターゲットＳＲＮＳに前記ユーザ機器を再配置することと、
前記ユーザ機器から転送するデータが不存在であることを検出することと、
転送するデータの前記不存在に応答して前記ユーザ機器におけるドーマント状態を始動させることと、
を備えるワイヤレス通信方法。
【請求項２】
ドーマント状態に入ることになるというインジケーションを前記ターゲットＲＮＣに提供することをさらに備える請求項１に記載の方法。
【請求項３】
前記ターゲットＲＮＣへの前記インジケーションは、シグナリングコネクション解放インジケーションメッセージの中で提供される、請求項２に記載の方法。
【請求項４】
ソースサービング無線ネットワークサブシステム（ＳＲＮＳ）からターゲットＳＲＮＳにユーザ機器を再配置するための通知を受信するための手段と、
前記ソースＳＲＮＳからの再構成メッセージにおいて前記ユーザ機器によって受信された単一ビットのインジケータに基づいて、前記ターゲットＳＲＮＳに対応するターゲット無線ネットワークコントローラ（ＲＮＣ）が高速ドーマント機能をサポートすると判断するための手段と、
前記ソースＳＲＮＳから前記ターゲットＳＲＮＳに前記ユーザ機器を再配置するための手段と、
前記ユーザ機器から転送するデータが不存在であることを検出するための手段と、
転送するデータの前記不存在に応答して前記ユーザ機器におけるドーマント状態を始動させるための手段と、
を備えるワイヤレス通信のための装置。
【請求項５】
ドーマント状態に入ることになるというインジケーションを前記ターゲットＲＮＣに提供するための手段、をさらに備える請求項４に記載の装置。
【請求項６】
前記ターゲットＲＮＣへの前記インジケーションは、シグナリングコネクション解放インジケーションメッセージの中で提供される、請求項５に記載の装置。
【請求項７】
ソースサービング無線ネットワークサブシステム（ＳＲＮＳ）からターゲットＳＲＮＳにユーザ機器を再配置するための通知を受信するためのコードと、
前記ソースＳＲＮＳからの再構成メッセージにおいて前記ユーザ機器によって受信された単一ビットのインジケータに基づいて、前記ターゲットＳＲＮＳに対応するターゲット無線ネットワークコントローラ（ＲＮＣ）が高速ドーマント機能をサポートすると判断するためのコードと、
前記ソースＳＲＮＳから前記ターゲットＳＲＮＳに前記ユーザ機器を再配置するためのコードと、
ユーザ機器から転送するデータが不存在であることを検出するためのコードと、
転送するデータの前記不存在に応答して前記ユーザ機器におけるドーマント状態を始動させるためのコードと、
を備えるコンピュータ読み取り可能記憶媒体。
【請求項８】
ドーマント状態に入ることになるというインジケーションを前記ターゲットＲＮＣに提供するためのコードをさらに備える、請求項７に記載のコンピュータ読み取り可能記憶媒体。
【請求項９】
前記ターゲットＲＮＣへの前記インジケーションは、シグナリングコネクション解放インジケーションメッセージの中で提供される、請求項８に記載のコンピュータ読み取り可能記憶媒体。
【請求項１０】
少なくとも１つのプロセッサと、
前記少なくとも１つのプロセッサに連結されたメモリと、を備え、
前記少なくとも１つのプロセッサは、
ソースサービング無線ネットワークサブシステム（ＳＲＮＳ）からターゲットＳＲＮＳにユーザ機器を再配置するための通知を受信し、
前記ソースＳＲＮＳからの再構成メッセージにおいて前記ユーザ機器によって受信された単一ビットのインジケータに基づいて、前記ターゲットＳＲＮＳに対応するターゲット無線ネットワークコントローラ（ＲＮＣ）が高速ドーマント機能をサポートすると判断し、
前記ソースＳＲＮＳから前記ターゲットＳＲＮＳに前記ユーザ機器を再配置し、
前記ユーザ機器から転送するデータが不存在であることを検出し、
転送するデータの前記不存在に応答して前記ユーザ機器におけるドーマント状態を始動させるように構成される、ワイヤレス通信のための装置。
【請求項１１】
前記少なくとも１つのプロセッサは、ドーマント状態に入ることになるというインジケーションを前記ターゲットＲＮＣに提供するようにさらに構成される、請求項１０に記載の装置。
【請求項１２】
前記ターゲットＲＮＣへの前記インジケーションは、シグナリングコネクション解放インジケーションメッセージの中で提供される、請求項１１に記載の装置。
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
セル再選択を扱うための方法であって、
ユーザ機器（ＵＥ）がアイドルモードの間に、
セル再選択を実行することと、
ＲＲＣメッセージを受信することと、
前記ＲＲＣメッセージから、変数ＨＳ−ＤＳＣＨ＿ＲＥＣＥＰＴＩＯＮ＿ＯＦ＿ＣＣＣＨ＿ＥＮＡＢＬＥＤがＴＲＵＥに設定されているかどうかを判定することと、
前記変数ＨＳ−ＤＳＣＨ＿ＲＥＣＥＰＴＩＯＮ＿ＯＦ＿ＣＣＣＨ＿ＥＮＡＢＬＥＤがＴＲＵＥに設定されている場合に、媒体アクセス制御（ＭＡＣ）のリセットを行うことと、
前記変数ＨＳ−ＤＳＣＨ＿ＲＥＣＥＰＴＩＯＮ＿ＯＦ＿ＣＣＣＨ＿ＥＮＡＢＬＥＤがＦＡＬＳＥに設定されている場合に、
前記変数ＨＳ−ＤＳＣＨ＿ＲＥＣＥＰＴＩＯＮ＿ＯＦ＿ＣＣＣＨ＿ＥＮＡＢＬＥＤをＴＲＵＥに設定し、
ＨＳ＿ＤＳＣＨの受信を開始することと
を含む方法。
【請求項２】
前記ＨＳ−ＤＳＣＨの受信を開始することは、前記ＨＳ−ＤＳＣＨの受信が継続されていないことに応答する、請求項１に記載の方法。
【請求項３】
変数ＩＮＩＴＩＡＬ＿ＵＥ＿ＩＤＥＮＴＩＴＹの値に設定された初期ＵＥ識別情報要素（ＩＥ）を持つＲＲＣ  ＣＯＮＮＥＣＴＩＯＮ  ＲＥＱＵＥＳＴメッセージを送信することと、
前記変数ＩＮＩＴＩＡＬ＿ＵＥ＿ＩＤＥＮＴＩＴＹの値と等しい前記初期ＵＥ識別ＩＥの値を持つ接続セットアップメッセージを受信することと
をさらに含む、請求項１に記載の方法。
【請求項４】
前記ＨＳ−ＤＳＣＨの受信が継続されているかどうかを判定することは、
前記ＲＲＣメッセージから、システムブロック情報（ＳＩＢ）のＨＳ−ＤＳＣＨ共通システム情報を受信することと、
受信した前記ＨＳ−ＤＳＣＨ共通システム情報から、前記ＨＳ−ＤＳＣＨの受信が継続されているかどうかを、前記変数ＨＳ−ＤＳＣＨ＿ＲＥＣＥＰＴＩＯＮ＿ＯＦ＿ＣＣＣＨ＿ＥＮＡＢＬＥＤに基づいて判定することと
を含む、請求項１に記載の方法。
【請求項５】
前記セル再選択を実行することは、
複数のセルのうち１つを、該複数のセルがセルフォーワードアクセスチャネル（Ｃｅｌｌ＿ＦＡＣＨ）内のＨＳ−ＤＳＣＨをサポートするかどうかに基づいて、再選択することを含む、請求項１に記載の方法。
【請求項６】
Ｖ３００の値をチェックすることと、
前記Ｖ３００の値がＮ３００以下であるかどうかを判定することと
を含む、請求項１に記載の方法。
【請求項７】
ユーザ機器（ＵＥ）であって、
受信機と、
送信機と、
前記受信機及び前記送信機と通信するプロセッサと、
を備え、該プロセッサが、
本ＵＥがアイドルモードの間に、
セル再選択を実行し、
ＲＲＣメッセージを受信し、
前記ＲＲＣメッセージから、変数ＨＳ−ＤＳＣＨ＿ＲＥＣＥＰＴＩＯＮ＿ＯＦ＿ＣＣＣＨ＿ＥＮＡＢＬＥＤがＴＲＵＥに設定されているかどうかを判定し、
前記変数ＨＳ−ＤＳＣＨ＿ＲＥＣＥＰＴＩＯＮ＿ＯＦ＿ＣＣＣＨ＿ＥＮＡＢＬＥＤがＴＲＵＥに設定されている場合に、媒体アクセス制御（ＭＡＣ）のリセットを行い、
前記変数ＨＳ−ＤＳＣＨ＿ＲＥＣＥＰＴＩＯＮ＿ＯＦ＿ＣＣＣＨ＿ＥＮＡＢＬＥＤがＦＡＬＳＥに設定されている場合に、
前記変数ＨＳ−ＤＳＣＨ＿ＲＥＣＥＰＴＩＯＮ＿ＯＦ＿ＣＣＣＨ＿ＥＮＡＢＬＥＤをＴＲＵＥに設定し、
ＨＳ＿ＤＳＣＨの受信を開始する
ように構成されている、ＵＥ。
【請求項８】
前記受信機は、前記ＨＳ−ＤＳＣＨの受信が継続されていないことに応答して、前記ＨＳ−ＤＳＣＨの受信を開始するように構成されている、請求項７に記載のＵＥ。
【請求項９】
前記送信機が、変数ＩＮＩＴＩＡＬ＿ＵＥ＿ＩＤＥＮＴＩＴＹの値に設定された初期ＵＥ識別情報要素（ＩＥ）を持つＲＲＣ  ＣＯＮＮＥＣＴＩＯＮ  ＲＥＱＵＥＳＴメッセージを送信するように構成され、
前記受信機が、前記変数ＩＮＩＴＩＡＬ＿ＵＥ＿ＩＤＥＮＴＩＴＹの値と等しい前記初期ＵＥ識別ＩＥの値を持つ接続セットアップメッセージを受信するように構成されている、請求項７に記載のＵＥ。
【請求項１０】
前記受信機は、前記ＲＲＣメッセージから、システムブロック情報（ＳＩＢ）のＨＳ−ＤＳＣＨ共通システム情報を受信するように構成され、
前記プロセッサが、受信した前記ＨＳ−ＤＳＣＨ共通システム情報から、前記ＨＳ−ＤＳＣＨの受信が継続されているかどうかを、前記変数ＨＳ−ＤＳＣＨ＿ＲＥＣＥＰＴＩＯＮ＿ＯＦ＿ＣＣＣＨ＿ＥＮＡＢＬＥＤに基づいて判定するように構成されている、請求項７に記載のＵＥ。
【請求項１１】
前記プロセッサが、複数のセルのうち１つを、該複数のセルがセルフォーワードアクセスチャネル（Ｃｅｌｌ＿ＦＡＣＨ）内のＨＳ−ＤＳＣＨをサポートするかどうかに基づいて、再選択するように構成されている、請求項７に記載のＵＥ。
【請求項１２】
前記プロセッサが、
Ｖ３００の値をチェックし、
前記Ｖ３００の値がＮ３００以下であるかどうかを判定するように構成されている、請求項７に記載のＵＥ。
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報の可変表示を行い表示結果を導出表示する装飾可変表示装置の前記識別情報の表示結果が予め定められた特定表示結果となったときに、遊技者にとって有利な特定遊技を実行する特定遊技状態に制御する遊技機であって、
前記特定遊技状態には少なくとも、
前記特定遊技を実行し、その後前記特定遊技状態となる確率が通常確率状態よりも向上する高確率状態に移行する第１特定遊技状態と、
前記第１特定遊技状態よりも不利な前記特定遊技を実行し、その後前記高確率状態に移行する第２特定遊技状態と、
前記第１特定遊技状態よりも不利な前記特定遊技を実行し、その後前記通常確率状態に移行する第３特定遊技状態と、があり、
前記特定遊技状態に制御するか否か、及び前記特定遊技状態に制御するときにいずれの前記特定遊技状態にするか、を表示結果が導出表示される以前に決定する事前決定手段と、
前記第１特定遊技状態の終了後、前記装飾可変表示装置における複数回の可変表示に渡って所定の背景あるいはキャラクタ画像による演出が継続的に実行される特定演出モードに制御する特定演出モード制御手段と、
前記特定演出モードへの制御中に前記第１特定遊技状態となった場合、当該第１特定遊技状態終了後、所定のモード継続演出を実行し前記特定演出モードを継続する特定演出モード継続手段と、
前記特定演出モードへの制御中に前記第３特定遊技状態となった場合、当該第３特定遊技状態終了後、所定のモード終了演出を実行し、前記通常確率状態に移行するとともに、前記特定演出モードから特殊演出モードに制御する第１特殊演出モード制御手段と、
前記特定演出モードへの制御中に前記第２特定遊技状態となった場合、当該第２特定遊技状態終了後、モード継続演出を実行し前記特定演出モードを継続する、または前記モード終了演出を実行し前記特殊演出モードに制御可能な第２特殊演出モード制御手段と、
前記特定演出モードへの制御中に前記第１特定遊技状態となった回数に対応して、演出を実行する特定演出実行手段と、
を備えることを特徴とする遊技機。
【手続補正２】
【補正対象書類名】明細書
【補正対象項目名】０００７
【補正方法】変更
【補正の内容】
【０００７】
この発明は、上記実情に鑑みてなされたものであり、遊技の興趣を向上させた遊技機を提供することを目的とする。
【手続補正３】
【補正対象書類名】明細書
【補正対象項目名】０００８
【補正方法】変更
【補正の内容】
【０００８】
（１）上記目的を達成するため、本発明の第１の観点に係る遊技機は、各々が識別可能な複数種類の識別情報（例えば飾り図柄）の可変表示を行い表示結果を導出表示する装飾可変表示装置（例えば画像表示装置５）の前記識別情報の表示結果が予め定められた特定表示結果（例えば大当り組合せ）となったときに、遊技者にとって有利な特定遊技を実行する特定遊技状態（例えば大当り遊技状態など）に制御する遊技機（例えばパチンコ遊技機１）であって、前記特定遊技状態には少なくとも、前記特定遊技を実行し、その後前記特定遊技状態となる確率が通常確率状態よりも向上する高確率状態（例えば確変状態）に移行する第１特定遊技状態（例えば第１大当りの大当り遊技状態）と、前記第１特定遊技状態よりも不利な前記特定遊技を実行し、その後前記高確率状態に移行する第２特定遊技状態（例えば第３大当りの大当り遊技状態）と、前記第１特定遊技状態よりも不利な前記特定遊技を実行し、その後前記通常確率状態に移行する第３特定遊技状態（例えば第４大当りの大当り遊技状態）と、があり、前記特定遊技状態に制御するか否か、及び前記特定遊技状態に制御するときにいずれの前記特定遊技状態にするか、を表示結果が導出表示される以前に決定する事前決定手段（例えばＣＰＵ１０３がステップＳ２３８、Ｓ２３９、Ｓ２４３、Ｓ２４５、Ｓ２４６の処理を実行する部分）と、前記第１特定遊技状態の終了後、前記装飾可変表示装置における複数回の可変表示に渡って所定の背景あるいはキャラクタ画像による演出が継続的に実行される特定演出モード（例えばバトルモード）に制御する特定演出モード制御手段（例えばＣＰＵ１０３がステップＳ３１６の処理でモードフラグ切換設定用データ２００に基づきモードフラグを"１"に切り換える部分）と、前記特定演出モードへの制御中に前記第１特定遊技状態となった場合、当該第１特定遊技状態終了後、所定のモード継続演出（例えば画像表示装置５における図５３（Ｂ）（Ｃ）に示す演出）を実行し前記特定演出モードを継続する特定演出モード継続手段（例えばＣＰＵ１０３がステップＳ３１６の処理でモードフラグ切換設定用データ２００に基づきモードフラグ"１"を継続する部分）と、前記特定演出モードへの制御中に前記第３特定遊技状態となった場合、当該第３特定遊技状態終了後、所定のモード終了演出（例えば画像表示装置５における図５８（１）〜（５）に示す演出）を実行し、前記通常確率状態に移行するとともに、前記特定演出モードから特殊演出モードに制御する第１特殊演出モード制御手段（例えばＣＰＵ１０３がステップＳ３１６の処理でモードフラグ切換設定用データ２００に基づきモードフラグを"２"に切り換える部分）と、前記特定演出モードへの制御中に前記第２特定遊技状態となった場合、当該第２特定遊技状態終了後、モード継続演出を実行し前記特定演出モードを継続する、または前記モード終了演出を実行し前記特殊演出モードに制御可能な第２特殊演出モード制御手段（例えばＣＰＵ１０３がステップＳ３１６の処理でモードフラグ切換設定用データ２００に基づきモードフラグを"１"または"２"とする部分）と、前記特定演出モードへの制御中に前記第１特定遊技状態となった回数に対応して、演出を実��する特定演出実行手段（例えば演出制御ＣＰＵ１２０がステップＳ５８５の処理を実行する部分）と、を備えることを特徴とする。
このような構成によれば、特定演出モードへの制御中の演出に変化を持たせることができ、遊技の興趣を向上させることができる。